(57)【要約】【課題】入館申請の受け付けから入館証の発行、持込物の検品や検査等の入退館処理を統合的に行い、セキュリティを向上させつつ入退館処理の効率化や省力化を可能とする。【解決手段】来訪者の入退館を管理する入退館管理システム１であって、入退館管理サーバ１０と受付端末４０とを有し、入退館管理サーバ１０は、入館申請情報を申請者端末３０から受け付けて入館情報ＤＢ２１に登録し、各来訪者に対してそれぞれ受付番号を発行して電子メールにより送付する申請処理部１１と、受付端末４０において来訪者から入力された受付番号に基づいて、入館情報ＤＢ２１から対応する入館申請情報を取得して受付端末４０に送信する入退館管理部１３とを有し、受付端末４０は、入退館管理部１３から受信した入館申請情報に基づいて、来訪者の識別情報を印刷したゲストカード４１と、受付番号を含む情報を保持するＩＣカードからなる入館カード４２とを出力する。【選択図】図１
2014006763.tif 000002
【特許請求の範囲】
【請求項１】
施設における来訪者の入退館を管理する入退館管理システムであって、
前記施設への入退館に係る処理を行うコンピュータシステムである入退館管理サーバと、
前記施設の入口において来訪者の入館を受け付ける処理を行う受付端末とを有し、
前記入退館管理サーバは、
前記施設への１人以上の来訪者の情報を含む入館申請情報をネットワークを介して申請者端末から受け付けて入館情報記録部に登録し、前記各来訪者に対してそれぞれ受付番号を発行して電子メールにより送付する申請処理部と、
前記来訪者が前記施設に入館する際に、前記受付端末において入力された前記受付番号に基づいて、前記入館情報記録部から対応する前記入館申請情報を取得して前記受付端末に送信する入退館管理部とを有し、
前記受付端末は、
前記入退館管理サーバの前記入退館管理部から受信した前記入館申請情報に基づいて、前記来訪者に対する入館証として、前記来訪者について撮影した顔写真を含む前記来訪者の識別情報を印刷したゲストカードと、前記来訪者についての前記受付番号を含む情報を記憶装置に保持するＩＣカードからなる入館カードとを出力することを特徴とする入退館管理システム。
【請求項２】
請求項１に記載の入退館管理システムにおいて、
前記入退館管理サーバの前記申請処理部は、
前記各来訪者に送付する電子メールに、前記受付番号に加えて前記受付番号に基づく第１のバーコードの情報を含め、
前記受付端末は、
バーコード読取部を有し、
前記来訪者からの前記受付番号の入力に替えて前記バーコード読取部により前記第１のバーコードを読み取って、読み取った前記第１のバーコードから前記受付番号を取得することを特徴とする入退館管理システム。
【請求項３】
請求項１または２に記載の入退館管理システムにおいて、
前記受付端末は、
指静脈読取部を有し、
前記来訪者から初回の入館である旨の入力を受けた場合は、前記指静脈読取部により前記来訪者の指静脈を読み取って、読み取った指静脈データを前記入退館管理サーバの前記入退館管理部に送信し、
前記入退館管理サーバの前記入退館管理部は、
前記受付端末から受信した前記指静脈データを指静脈記録部に記録することを特徴とする入退館管理システム。
【請求項４】
請求項３に記載の入退館管理システムにおいて、
前記受付端末は、
前記来訪者から２回目以降の入館である旨の入力を受けた場合は、前記指静脈読取部により前記来訪者の指静脈を読み取って、読み取った指静脈データを前記入退館管理サーバに送信し、
前記入退館管理サーバは、
前記受付端末から受信した前記指静脈データと、前記指静脈記録部に記録された前記来訪者の前記指静脈データとを照合して指静脈認証を行うことを特徴とする入退館管理システム。
【請求項５】
請求項１〜４のいずれか１項に記載の入退館管理システムにおいて、
さらに、第１のＩＣカード読取部を有するバーコード発行端末を有し、
前記バーコード発行端末は、
前記第１のＩＣカード読取部により、前記来訪者の前記入館カードを読み取って、前記入館カードに記録された前記受付番号を取得し、取得した前記受付番号を前記入退館管理サーバの前記入退館管理部に送信し、
前記入退館管理部から受信した前記来訪者の１つ以上の持込物の情報に基づいて、前記各持込物をそれぞれ識別する第２のバーコードを生成して出力し、また、前記各持込物と対応する前記第２のバーコードとのリストからなる検品票を出力し、
前記入退館管理サーバの前記入退館管理部は、
前記入館情報記録部から、前記バーコード発行端末から受信した前記受付番号に対応する前記入館申請情報に含まれる前記各持込物の情報を取得して前記バーコード発行端末に送信することを特徴とする入退館管理システム。
【請求項６】
請求項５に記載の入退館管理システムにおいて、
さらに、バーコードリーダが接続され、第２のＩＣカード読取部を有する検品端末を有し、
前記検品端末は、
前記来訪者の前記持込物に貼付された、前記バーコード発行端末から出力された前記第２のバーコードと、前記バーコード発行端末から出力された前記検品票に含まれる前記持込物に対応する前記第２のバーコードとを前記バーコードリーダにより読み取って、前記持込物が、前記来訪者に係る前記入館申請情報に含まれるものであるか否かを判定することを特徴とする入退館管理システム。
【発明の詳細な説明】
【技術分野】
【０００１】
本発明は、施設等における入退館を管理する技術に関し、特に、データセンター等のセキュリティを確保する必要がある施設において一時的な来訪者に対する入退館を管理する入退館管理システムに適用して有効な技術に関するものである。
【背景技術】
【０００２】
データセンターやオフィスビル等の施設では、定常的に入退館を許可されている従業員等の他に、例えば、当該データセンターに対して情報処理システムの運用を委託している顧客の担当者や、出入業者など、一時的な来訪者も存在する。これらの来訪者等による情報漏洩などを防止してセキュリティを確保するため、データセンター等の施設では、通常、来訪者の入退館を管理し、許可された者が、許可された日時に許可されたエリアにのみ訪問することが可能となるよう制限する。
【０００３】
従来、このような管理は、例えば、施設のエントランスの受付での訪問先確認や、警備員等による身分証明書の顔写真との照合、手荷物検査など、人手で行われることが多くコストがかかるとともに、来訪者にとっても煩雑であり拘束時間が長くなるという課題があった。
【０００４】
これに対し、例えば、特開２００４−１９７５３５号公報（特許文献１）には、訪問者が来訪した際に訪問者明示情報を伝達する訪問者明示情報伝達手段と、訪問者を特定する識別コードを作成し、伝達された訪問者明示情報に基づいて識別コードを含む入域許可情報を発生し、訪問者の入域の可否を決定する訪問者情報処理装置と、識別コードを含む入域許可情報を記録した識別カードを訪問者に発行するカード発行手段と、ゲートに挿入された訪問者の識別カードから読み取った識別コードに応じて、ゲートにゲート開閉制御信号を送信し当該ゲートを開閉制御するゲート開閉制御装置とを具備することで、訪問者の入退域の受け付けの無人化を図るとともに、円滑な入退域管理およびセキュリティの向上を達成し得る入退域セキュリティ管理システムが記載されている。
【０００５】
また、特開２００８−１７１３５０号公報（特許文献２）には、来訪受付装置が、来訪予定情報に対応する受付番号を来訪者の端末に送信し、入館証発行装置が、受付番号の入力を受けて当該受付番号を来訪受付装置に送信し、来訪受付装置は、認証情報を入館証発行装置に送信し、入館証発行装置は、認証情報を印刷媒体に印刷して出力し、入館ゲート装置は、印刷媒体が提示されたことに応じて認証情報を読み取り、来訪受付装置に送信し、来訪受付装置は、入館可否を判定し、判定結果に基づく制御情報を入館ゲート装置に送信し、入館ゲート装置は、制御情報に基づきゲートを動作させることで、セキュリティを確保しながら低コストで来訪者の入退館管理を行う技術が記載されている。
【先行技術文献】
【特許文献】
【０００６】
【特許文献１】特開２００４−１９７５３５号公報
【特許文献２】特開２００８−１７１３５０号公報
【発明の概要】
【発明が解決しようとする課題】
【０００７】
上記の各特許文献等に記載されたような技術を用いることで、セキュリティを確保する必要があるデータセンター等の施設における入退館処理および管理処理を低コストで効率的に行うことが可能となる。
【０００８】
一方で、これらの従来技術では、入館証等のカードの発行に係るコストを低減させるため、例えば、一時的に利用可能な紙等の媒体からなるカードを入館時に印刷等により出力し、退館時には当該カードに記録された識別情報等では再入館できないようデータを更新する等の処理を行うことで、当該カードの回収処理を不要としている。しかしながら、このような手法では、当該カードを利用して再入館できないよう制御されるとはいえ、入館の許否を判定するために利用される各種の属性情報や制御情報等が記載されたカードを廃棄せずに持ち帰ってしまうことも可能であることから、入館カードの偽造・変造等のセキュリティ上のリスクを有しているとも言える。
【０００９】
また、これらの従来技術では、入退館処理における入館証の発行や、これによるゲート等の制御に係る処理を効率化・円滑化することが可能であるが、例えば、データセンターにおいて行われる持込物・持出物の検品や検査の処理については特に考慮されていない。通常、セキュリティのレベルを高くしようとするほどこれらの処理はより煩雑となり、所要時間も長くなることから、来訪者に対して不便を強いることになる場合も多い。
【００１０】
そこで本発明の目的は、データセンター等の施設における来訪者の入館申請の受け付けから入館証の発行、持込物の検品や検査等の入退館処理および管理処理を統合的に行い、セキュリティを向上させつつ、入退館処理の効率化や省力化を可能とする入退館管理システムを提供することにある。
【００１１】
本発明の前記ならびにその他の目的と新規な特徴は、本明細書の記述および添付図面から明らかになるであろう。
【課題を解決するための手段】
【００１２】
本願において開示される発明のうち、代表的なものの概要を簡単に説明すれば、以下のとおりである。
【００１３】
本発明の代表的な実施の形態による入退館管理システムは、施設における来訪者の入退館を管理する入退館管理システムであって、前記施設への入退館に係る処理を行うコンピュータシステムである入退館管理サーバと、前記施設の入口において来訪者の入館を受け付ける処理を行う受付端末とを有し、以下の特徴を有するものである。
【００１４】
すなわち、前記入退館管理サーバは、前記施設への１人以上の来訪者の情報を含む入館申請情報をネットワークを介して申請者端末から受け付けて入館情報記録部に登録し、前記各来訪者に対してそれぞれ受付番号を発行して電子メールにより送付する申請処理部と、前記来訪者が前記施設に入館する際に、前記受付端末において入力された前記受付番号に基づいて、前記入館情報記録部から対応する前記入館申請情報を取得して前記受付端末に送信する入退館管理部とを有する。
【００１５】
また、前記受付端末は、前記入退館管理サーバの前記入退館管理部から受信した前記入館申請情報に基づいて、前記来訪者に対する入館証として、前記来訪者について撮影した顔写真を含む前記来訪者の識別情報を印刷したゲストカードと、前記来訪者についての前記受付番号を含む情報を記憶装置に保持するＩＣカードからなる入館カードとを出力する。
【発明の効果】
【００１６】
本願において開示される発明のうち、代表的なものによって得られる効果を簡単に説明すれば以下のとおりである。
【００１７】
すなわち、本発明の代表的な実施の形態によれば、データセンター等の施設における来訪者の入館申請の受け付けから入館証の発行、持込物の検品や検査等の入退館処理および管理処理を統合的に行い、セキュリティを向上させつつ、入退館処理の効率化や省力化と、来訪者の利便性の向上を図ることが可能となる。
【図面の簡単な説明】
【００１８】
【図１】本発明の一実施の形態である入退館管理システムの構成例について概要を示した図である。
【図２】本発明の一実施の形態における来訪者がエントランスからＣＰＵエリアまで移動する際の入館処理の例について概要を示した図である。
【図３】本発明の一実施の形態における事前に入館申請を受け付ける入館申請処理の流れの例について概要を示したフローチャートである。
【図４】本発明の一実施の形態における来訪者が初回の入館を行う入館受付処理の流れの例について概要を示したフローチャートである。
【図５】本発明の一実施の形態における来訪者が二回目以降の入館を行う入館受付処理の流れの例について概要を示したフローチャートである。
【図６】本発明の一実施の形態における来訪者の持込物の検品準備処理の流れの例について概要を示したフローチャートである。
【図７】本発明の一実施の形態における来訪者のボディスキャンおよび持込物のＸ線検査処理の流れの例について概要を示したフローチャートである。
【図８】本発明の一実施の形態における来訪者の持込物の検品処理の流れの例について概要を示したフローチャートである。
【図９】本発明の一実施の形態における来訪者の退館処理の流れの例について概要を示したフローチャートである。
【発明を実施するための形態】
【００１９】
以下、本発明の実施の形態を図面に基づいて詳細に説明する。なお、実施の形態を説明するための全図において、同一部には原則として同一の符号を付し、その繰り返しの説明は省略する。
【００２０】
＜概要＞
本発明の一実施の形態である入退館管理システムは、データセンター等の施設における来訪者の入館申請の受け付けから入館証の発行、持込物の検品や検査とゲートの制御等のセキュリティ処理、およびこれらの処理履歴の記録とトラッキング等、入退館処理および管理処理を統合的に行うシステムである。
【００２１】
以下では、まず、本実施の形態の入退館管理システムを適用したデータセンターを例として、入館申請を行った来訪者が、データセンターのエントランスから入ってセキュリティエリアであるＣＰＵエリアを訪問するまでの手順と流れの概要について説明する。図２は、来訪者がエントランスからＣＰＵエリアまで移動する際の入館処理の例について概要を示した図である。ここでは、データセンターのエントランスホールのレイアウトと、来訪者の移動の経路を模式的に示している。
【００２２】
図の左側のエントランスから入った来訪者は、まず、エントランスロビーの無人のチェックインカウンターにおいて、受付端末４０を操作して、事前の入館申請時に受け取った受付番号を指定することで、入館証（後述するように２種類のカードからなる）の発行を受ける。事前の入館申請がされていない場合は、例えば、チェックインカウンター脇に備えられた緊急申請用端末４３を使用して入館申請を行うようにしてもよい。受付端末４０から入館証を受け取った後、携行してきた荷物を必要に応じて電子ロッカー７１に預ける。
【００２３】
その後、持込物の検品の準備のため、検品準備場所に移動する。検品準備場所では、入館申請時に予め申請された持込物の申請内容に基づいて、各持込物を識別可能とするためのバーコード、および持込物とバーコードの対応のリストである検品票をバーコード発行端末７２により発行・印刷する。来訪者は、発行されたバーコードを各持込物に貼付する。その後、Ｘ線検査装置５１の所で持込物を預けてＸ線検査を行うのと並行して、来訪者は、ボディスキャナ５２を通って不審物を隠し持っていないかの検査を行う。なお、ここで対象となる不審物は主に電気・電子機器や装置、媒体等である。
【００２４】
Ｘ線検査装置５１を通った各持込物については、係員が、検品端末７３に接続されたバーコードリーダ７４により、各持込物に貼付されたバーコードを読み取って検品票の内容と照合することで、各持込物が事前に申請されたものと相違ないことを確認する。持込物の検品が完了すると、入館証を用いてゲート・扉５４を開放してＣＰＵエリアに入ることができる。なお、ＣＰＵエリアに入った後、最終的な訪問先のＣＰＵエリアまでに複数のゲート・扉５４が存在する場合は、その都度入館証を用いて開放する。エントランスフロアやＣＰＵエリアでの来訪者や係員の行動の内容は、監視カメラ５３によって撮影して画像データとして記録しておく。
【００２５】
このように、受付端末４０を用いた無人での入館証の発行と、バーコードを用いた持込物の検品作業により、入館処理の大幅効率化を実現するとともに、Ｘ線検査装置５１やボディスキャナ５２を用いた不法持込物の検出機能の強化によりセキュリティの向上を実現する。
【００２６】
＜システム構成＞
図１は、本発明の一実施の形態である入退館管理システムの構成例について概要を示した図である。本実施の形態の入退館管理システム１は、例えば、入退館管理サーバ１０、受付端末４０、Ｘ線検査装置５１、ボディスキャナ５２、監視カメラ５３、ゲート・扉５４、電子ロッカー７１、バーコード発行端末７２、および検品端末７３とバーコードリーダ７４を備える構成を有している。
【００２７】
入退館管理サーバ１０は、データセンター等の入退館を管理する施設の内部もしくは外部に配置され、施設内のネットワークに接続されるサーバ機器等からなるコンピュータシステムである。入退館管理サーバ１０は、例えば、ソフトウェアプログラムによって実装される申請処理部１１、認証部１２、入退館管理部１３、ログ管理部１４、およびログ照会部１５などの各部を有する。また、データベースやファイルテーブル等によって実装される入館情報データベース（ＤＢ）２１、指静脈・顔写真ＤＢ２２、来訪者情報ＤＢ２３、カード情報ＤＢ２４、および統合ログＤＢ２５などの各テーブルを有する。
【００２８】
申請処理部１１は、入館申請の情報の入力を受け付けて、入館情報ＤＢ２１に登録する処理を行う。図１の例では、申請者（例えば、来訪者自身もしくは来訪者の上長等の承認者等）が申請者端末３０を利用して、インターネット等のネットワーク３１を介して申請処理部１１にアクセスして直接申請処理を行う構成としている。ここで、申請者端末３０は、申請者が使用するＰＣ等の情報処理端末である。この場合、例えば、申請処理部１１については、図示しないＷｅｂサーバプログラム上で稼働するＷｅｂアプリケーションプログラムとして入館申請に係るサービスを提供するよう実装し、申請者端末３０上の図示しないＷｅｂブラウザからこれにアクセスする構成とすることができる。
【００２９】
このような構成の他に、例えば、入館申請用のＷｅｂアプリケーションプログラムを別のＷｅｂサーバ上に構築し、当該Ｗｅｂサーバにおいて申請者端末３０からの入館申請の情報を一時的に受け付ける。その後、データセンターにおける入退館の管理責任者や登録者等が、定期的に、受け付けた入館申請情報を一括して申請処理部１１を介して入館情報ＤＢ２１に登録する構成とすることも可能である。この場合、申請処理部１１は、申請者に対するＷｅｂアプリケーション等による入館申請用のインタフェースを有する必要はなく、例えば、データファイルを読み込ませる形式での入力方法であってもよい。
【００３０】
入館申請の情報には、例えば、各来訪者の氏名等や連絡先の電子メールアドレス、来訪日／来訪期間、入館希望エリア、持込物・持出物のリストなどが含まれる。申請処理部１１は、入館申請の内容を確認し、不備がない場合は、ユニークな受付番号を採番してこれに入館情報を関連付けて入館情報ＤＢ２１に登録するとともに、来訪者の情報を来訪者情報ＤＢ２３に登録する。また、登録された入館申請の内容、および受付番号とこれをコード化したバーコードを含む情報を、申請者および各来訪予定者に対して電子メールにより送信する。バーコードは、一般的な１次元バーコードであってもよいし、ＱＲコード（登録商標）等の２次元バーコードであってもよい。
【００３１】
認証部１２は、入館情報ＤＢ２１および来訪者情報ＤＢ２３に登録された者が施設に来訪した際に、指静脈認証による本人確認を行う。本実施の形態では、受付端末４０により来訪者の指静脈を読み取り、指静脈・顔写真ＤＢ２２に登録された指静脈の情報と照合することで認証・本人確認を行う。
【００３２】
入退館管理部１３は、来訪者情報ＤＢ２３に登録された来訪者が施設に来訪した際の一連の入退館処理の実行を管理・制御する。例えば、受付端末４０上での来訪者もしくは係員等の操作に基づく要求に対して、該当する入館申請の情報を入館情報ＤＢ２１から呼び出して応答したり、受付端末４０において発行された入館証に係る情報をカード情報ＤＢ２４に記録したり等の受付端末４０に対する制御を行う。また、電子ロッカー７１によって割り当てられたロッカーの番号を入館情報ＤＢ２１に記録する。また、バーコード発行端末７２や検品端末７３に対して、入館情報ＤＢ２１に登録された持込物の申請内容の情報を渡し、バーコードリーダ７４による検品結果を検品端末７３から受け取って入館情報ＤＢ２１に記録する。また、これら入退館に係る処理の履歴や証跡を所定のフォーマットによって統合ログＤＢ２５に記録する。
【００３３】
ログ管理部１４は、Ｘ線検査装置５１や、ボディスキャナ５２、監視カメラ５３、およびゲート・扉５４などの各機器や装置からの処理結果や処理履歴の情報を収集もしくは受け付けて、所定のフォーマットに整形して統合ログＤＢ２５に履歴として記録する。ログ照会部１５は、統合ログＤＢ２５に記録された処理履歴等に基づいて、例えば、入退館の管理責任者等による管理者端末６０を介した指示により、監査に対応するための証跡データを集計したり、セキュリティ事故等が発生した場合に特定の来訪者や持込物をキーに行動をトラッキングしたり、統計的な情報を集計して報告情報を作成したりといった照会処理を行う。ここで、管理者端末６０は、入退館の管理責任者等が使用するＰＣ等の情報処理端末である。なお、ログ管理部１４、ログ照会部１５、および統合ログＤＢ２５等からなる構成は、例えば、公知の統合ログ管理の技術や製品等を適宜利用することができる。
【００３４】
受付端末４０は、例えば、いわゆるキオスク端末（マルチメディアステーション：ＭＭＳ）により構成され、タッチパネル等による操作指示を受け付ける入出力機能の他に、デジタルカメラ、バーコードリーダ、指静脈の読み取り、および入館証の印刷・発行等の機能を有する。ＦｅｌｉＣａ（登録商標）等に準拠したＩＣカードリーダの機能を有していてもよい。
【００３５】
バーコードリーダの機能により、入館申請時に来訪予定者に対して予め電子メールにより送付したバーコード（受付番号）の情報を読み取り、入退館管理部１３を介して入館情報ＤＢ２１から対応する入館申請の情報を呼び出すことができる。また、指静脈読取部により、来訪者の指静脈の情報を読み取って、入退館管理部１３を介して指静脈・顔写真ＤＢ２２に新規に登録したり、認証部１２を介して認証処理を行ったりすることができる。また、カメラ機能により来訪者の顔写真を撮影して、入退館管理部１３を介して指静脈・顔写真ＤＢ２２に登録することができる。
【００３６】
また、入館証発行の機能により、来訪者に対して入館証を出力して発行することができる。本実施の形態では、入館証として、ゲストカード４１と入館カード４２の２種類のカードを発行するものとする。ここで、ゲストカード４１は、警備員や係員等が来訪者自身を外観により識別するためのカードであり、例えば、来訪者の入館申請の内容から得られた氏名や所属会社・部門等、来訪日や期間、入館希望エリアなどの情報に加え、カメラ機能により撮影され指静脈・顔写真ＤＢ２２に登録された顔写真のデータが印刷されたカードである。このゲストカード４１は、例えば、紙等の廃棄が容易な媒体により作成され、退館時には回収が不要である。
【００３７】
一方、入館カード４２は、ゲート・扉５４を開放させたり、各種機器や装置、設備に対して制御を行ったりするためのデータを保持するカードであり、例えば、入館申請における受付番号や、開放が可能なゲート・扉５４を特定するための情報などをデータとして保持する、ＦｅｌｉＣａ（登録商標）等に準拠したＩＣカードである。ＩＣカードであることから、退館時には回収して再利用するものとする。発行した入館カード４２の情報（カードの有効・無効の情報を含む）は、例えば、入退館管理部１３を介してカード情報ＤＢ２４に記録する。
【００３８】
なお、来訪者が対象のデータセンター等の施設への定常的な入退館を許可された従業員等（以下では単に「社員」と記載する場合がある）の場合で、社員証等としてのＩＣカードを有している場合は、これを用いることで入館カード４２の発行をスキップすることができる。また、当該社員証に顔写真等の情報が表示されている場合は、ゲストカード４１の発行もスキップすることができる。
【００３９】
このように、来訪者を識別するためのゲストカード４１と、ゲート・扉５４を開放等するための入館カード４２とを分離することで、一時的な来訪者に固有の情報のみが印刷され、かつデータセンターの設備の制御に係るデータを有さないゲストカード４１について、セキュリティ上のリスクなく回収不要・廃棄可能とすることができる。また、ＩＣカードである入館カード４２について、発行時にはＩＣチップ内のデータの書き換えのみ行い、来訪者に固有の情報を表面に印刷する必要がないことから、回収した後の再利用を低コストで容易に行うことが可能となる。
【００４０】
Ｘ線検査装置５１は、空港の保安検査場等において一般的に用いられるものと同様の装置であり、例えば、コンベア上を移動してきた持込物をＸ線により撮影し、画像データを取得する。また、本実施の形態において、ボディスキャナ５２は、空港の保安検査場等において一般的に用いられるゲート状の金属探知装置では検出できないような電気・電子機器等や金属以外の不審物を検出することができる高性能の検査装置としている。このボディスキャナ５２は、例えば、来訪者に対して微弱なミリ波を照射して衣服の内側の不審物を透視検査し、検査結果を人形の画像上に模式的に表示することができる。なお、ボディスキャナ５２として、このような高性能の装置ではなく一般的なゲート状の金属探知装置を用いていてもよい。
【００４１】
Ｘ線検査装置５１やボディスキャナ５２は、例えば、ＩＣカードリーダの機能を有し、もしくはＩＣカードリーダと連携し、来訪者の入館カード４２もしくは社員証の情報を読み取った後に検査を行う。また、検査結果の画像データ等を入退館管理サーバ１０等に保管するとともに、そのファイル名やパス等の情報を、入館カード４２や社員証に記録された識別情報と関連付けてログ管理部１４を介して統合ログＤＢ２５に記録する。
【００４２】
監視カメラ５３は、エントランスロビーや検品準備場所、検品場所、ＣＰＵエリアなどを常時撮影し、撮影データを入退館管理サーバ１０等に保存するとともに、そのファイル名やパス等の情報をログ管理部１４を介して統合ログＤＢ２５に記録する。特に、検品場所において、持込物に貼付されたバーコードをバーコードリーダ７４により読み取って検品する際の状況を撮影して保存する。これにより、検品対象の持込物が実際に確認されたことの証跡を、持込物毎にデジタルカメラ等で撮影するという煩雑な処理を要さずに保存することができる。なお、検品処理の状況を撮影するカメラを監視カメラ５３とは別に設けてもよい。
【００４３】
ゲート・扉５４は、ＣＰＵエリアなどのセキュリティを確保する必要があるエリアの区分毎に来訪者の出入りを制限するためのゲートや扉等の構造物である。ＩＣカードリーダの機能を有し、提示された入館カード４２や社員証に記録されたデータを読み取ってゲート等の開放の許否を判定し、許可する場合にはゲートや扉を開放する。開放の許否の判定結果や開放した履歴については、ログ管理部１４を介して統合ログＤＢ２５に記録する。
【００４４】
電子ロッカー７１は、各ロッカーの扉の開閉を電子的に制御することができるロッカーシステムであり、例えば、受付端末４０による来訪者の受付時に、入退館管理部１３等により空きロッカーを自動で割り当てて、ロッカー番号を受付端末４０を介して来訪者に通知するとともに、入館情報ＤＢ２１等に発行した入館カード４２の情報と関連付けて記録することができる。割り当てたロッカー番号の情報を入館カード４２に記録しておいてもよい。ロッカー番号を割り当てた履歴の情報は統合ログＤＢ２５に記録する。
【００４５】
電子ロッカー７１はＩＣカードリーダの機能を有し、もしくはＩＣカードリーダと連携し、来訪者が提示した入館カード４２もしくは社員証に記録されたデータを読み取ると、割り当てられた（入館情報ＤＢ２１等に記録された）ロッカー番号に該当するロッカーの扉を解錠して開けるとともに、指示灯の点灯等によりその場所を通知する。来訪者が対象のロッカーに荷物を入れて扉を閉めると自動的に施錠する。
【００４６】
退館時も同様に、電子ロッカー７１のＩＣカードリーダに来訪者が提示した入館カード４２もしくは社員証に記録されたデータを読み取ると、入館情報ＤＢ２１等に記録されたロッカー番号に該当するロッカーの扉を解錠して開けるとともに、指示灯の点灯等によりその場所を通知する。荷物を取り出した後、例えば、来訪者が受付端末４０においてロッカーの返却確認操作を行うと、入退館管理部１３は、来訪者に対する対象のロッカーの割り当てを解除し、当該ロッカーを他の来訪者に対して割り当て可能な状態とするとともに、返却の履歴を統合ログＤＢ２５に記録する。
【００４７】
バーコード発行端末７２は、ＰＣ等の情報処理端末であり、ＩＣカードリーダの機能を有し、もしくはＩＣカードリーダと連携し、来訪者が提示した入館カード４２もしくは社員証に記録されたデータを読み取ると、入館情報ＤＢ２１に記録された持込物の申請情報を取得し、これに基づいて、各持込物に貼付するバーコードを生成して剥離可能なシール状の台紙等に印刷するとともに、各持込物とバーコードとの対応のリストを検品票として印刷する。
【００４８】
ここでのバーコードは、例えば、持込物の申請情報においてシリアル番号が分かっている機器であれば、これをコード化して生成する。シリアル番号が分かっており、対応するバーコードがすでに貼付されている機器の場合は、貼付用のバーコードの生成を不要とすることができる。シリアル番号が不明な場合は、ユニークな番号を新たに生成し、これに基づいて生成したバーコードを利用する。当該バーコードは、原則として、当該持込物を識別するバーコードとして以降の入館時にも再利用できる固定的なデータとして利用するものとする。
【００４９】
なお、ここで生成するバーコードについても、上述した入館申請に際して来訪者に対して電子メールで送信するバーコードと同様に、一般的な１次元バーコードであってもよいし、ＱＲコード（登録商標）等の２次元バーコードであってもよい。
【００５０】
検品端末７３は、ＰＣ等の情報処理端末であり、ＩＣカードリーダの機能を有し、もしくはＩＣカードリーダと連携し、来訪者が提示した入館カード４２もしくは社員証に記録されたデータを読み取ると、入館情報ＤＢ２１に記録された持込物の申請情報を取得して表示する。また、可搬型のバーコードリーダ７４を有し、各持込物に貼付されたバーコード、および検品票に印刷されたバーコードを読み取ってその内容を検品端末７３に送信する。
【００５１】
検品端末７３は、持込物に貼付されたバーコードと検品票に印刷されたバーコードとを照合して一致を確認し、その結果を検品結果として入退館管理部１３を介して入館情報ＤＢ２１に記録するとともに、履歴として統合ログＤＢ２５に記録する。バーコードの照合処理は、可能な場合にはバーコードリーダ７４上で行ってもよいし、入退館管理部１３で行なってもよい。
【００５２】
＜処理内容＞
図３は、本実施の形態の入退館管理サーバ１０における事前に入館申請を受け付ける入館申請処理の流れの例について概要を示したフローチャートである。まず、申請者が申請者端末３０を介して申請処理部１１もしくは他のＷｅｂサーバシステムが提供する入館申請用のアプリケーションプログラムにアクセスし、来訪予定者（複数の場合もあり、また申請者自身を含む場合もある）についての入館申請に係る情報を入力して承認者の承認を得るプロセスを実行する（Ｓ０１）。承認プロセスが完了すると、申請処理部１１は、入館申請の情報を受け付けて、入館の許否を判定する（Ｓ０２）。ここでは、申請処理部１１により自動的に入館許否の判定を行なってもよいし、入館申請をいったん受け付けて、データセンターの入館管理責任者等が別途許否判定を行なって結果を入力するようにしてもよい。入館を拒否する場合は申請者に対してその旨を応答する。
【００５３】
入館を許可する場合、入館申請の情報を入館情報ＤＢ２１に登録する（Ｓ０３）。このとき、来訪予定者毎にユニークな受付番号を採番し、さらにこれをコード化したバーコードを作成しておく。来訪予定者が社員の場合は、入館申請の情報を特定するキー情報として社員番号の情報を合わせて保持する。なお、当該登録処理は、申請処理部１１が自動で行なってもよいし、入館管理責任者等が申請処理部１１等を介して手動で入館情報ＤＢ２１にデータを登録するようにしてもよい。
【００５４】
入館情報ＤＢ２１に入館申請の情報が登録されると、申請処理部１１は、申請者および入館申請情報に含まれる来訪予定者の電子メールアドレス宛に、登録された入管申請の内容、および受付番号とバーコードを含む情報を申請受付メールとして電子メールにより送信する（Ｓ０４）。来訪予定者は、自身が直接入館申請処理をしていなくても、当該申請受付メールを受信することにより（Ｓ０５）、入館申請の内容と入館時に必要となる情報を確実に取得することができる。これにより、申請者や来訪予定者の申請処理に伴う作業負荷を低減し、また連絡漏れ等のリスクを低減することができる。
【００５５】
図４は、本実施の形態の入退館管理サーバ１０における来訪者が初回の入館を行う入館受付処理の流れの例について概要を示したフローチャートである。図３の例に示した処理により事前に入館申請がされている、もしくはチェックインカウンターの緊急申請用端末４３により入館申請を行った来訪者は、まず、チェックインカウンターの受付端末４０の画面を操作し、入館情報ＤＢ２１に登録された自身の入館申請の情報を呼び出す（Ｓ１１）。来訪者が受付端末４０を直接操作するのではなく、来訪者の要求を受けた係員等が操作してもよい。受付端末４０は、呼び出した入館申請の情報を画面上に表示する。
【００５６】
具体的には、例えば、受付端末４０の画面を操作し、初回入館である旨を該当ボタンの押下等により指示して、入館申請の際に受信した申請受付メールに含まれるバーコードを受付端末４０のバーコードリーダに提示する。受付端末４０は、読み取ったバーコードから得られた受付番号を入退館管理サーバ１０に送信する。来訪者が印刷等により表示されたバーコードを有していないような場合には、申請受付メールに含まれる受付番号の値を直接受付端末４０に対して入力してもよい。
【００５７】
入退館管理サーバ１０の入退館管理部１３は、受信もしくは入力された受付番号に対応する入館申請の情報を入館情報ＤＢ２１から取得して受付端末４０に応答する。なお、来訪者が社員等の場合でＩＣカードからなる社員証を有している場合には、バーコードを利用せずに、社員証を受付端末４０のＩＣカードリーダに提示して、社員番号等をキーとして入館申請の情報を呼び出してもよい。
【００５８】
その後、呼び出した入館申請の情報に基づいて、警備員や係員等が目視により来訪者の本人確認を行う（Ｓ１２）。このとき、来訪者が保持する顔写真付の身分証を提示してもらい、これと入館申請の情報に基づいて本人確認を行う。本人であることの確認がとれない場合は入館を拒否する。本人確認が完了すると、来訪者は認証用の指静脈のデータを登録する（Ｓ１３）。ここでは、受付端末４０の指静脈読取部により来訪者の指静脈のデータを取得し、入退館管理部１３を介して登録日の情報と合わせて指静脈・顔写真ＤＢ２２に登録する。
【００５９】
その後、ゲストカード４１に印刷するための顔写真を撮影してデータを登録する（Ｓ１４）。ここでは、例えば、受付端末４０が有するカメラ機能により来訪者の顔写真を撮影し、画像データを入退館管理部１３を介して指静脈・顔写真ＤＢ２２に登録する。顔写真のデータファイルを入退館管理サーバ１０上に保存して、そのファイル名やパス等の情報を指静脈・顔写真ＤＢ２２に登録するようにしてもよい。なお、来訪者が社員の場合で、顔写真付の社員証を有している場合は撮影は不要である。
【００６０】
その後、受付端末４０上に入館に際しての規約や制限、秘密保持についての誓約等を含む入館ルールと、これに対する同意・不同意のボタンを表示して、来訪者による同意確認を行う（Ｓ１５）。来訪者が入館ルールに対して同意した場合、受付端末４０は入館証を発行する（Ｓ１６）。ここでは、顔写真や氏名等を印刷したゲストカード４１と、入館申請を特定する受付番号等の情報を内蔵のメモリに書き込んだＩＣカードである入館カード４２とを発行する。来訪者が社員の場合は、顔写真付の社員証があるためゲストカード４１の発行は行わない。発行した入館カード４２の情報は、入退館管理部１３を介してカード情報ＤＢ２４に記録する。
【００６１】
図５は、本実施の形態の入退館管理サーバ１０における来訪者が二回目以降の入館を行う入館受付処理の流れの例について概要を示したフローチャートである。入館申請がされている来訪者は、まず、初回の入館時と同様に、受付端末４０の画面を操作し、入館情報ＤＢ２１に登録された自身の入館申請の情報を呼び出す（Ｓ２１）。ここでは、例えば、受付端末４０の画面を操作し、通常の（二回目以降の）入館である旨を該当ボタンの押下等により指示して、入館申請の際に受信した申請受付メールに含まれるバーコードを受付端末４０のバーコードリーダに提示する。
【００６２】
ステップＳ２１において入退館管理部１３が入館情報ＤＢ２１から入館申請の情報を取得した際、さらに、指静脈・顔写真ＤＢ２２に登録された来訪者の指静脈データの登録日の情報を取得し、これに基づいて指静脈データが有効期限内であるか否かを確認する（Ｓ２２）。例えば、登録日から１年以上経過している場合は、有効期限切れとして、図４のステップＳ１３と同様の処理により、受付端末４０において来訪者に指静脈データを更新登録させる。
【００６３】
指静脈データが有効期限内である場合、もしくは指静脈データを更新登録した場合は、来訪者の本人確認として指静脈認証を行う（Ｓ２３）。ここでは、受付端末４０の指静脈読取部により来訪者の指静脈を読み取って、読み取ったデータを認証部１２により指静脈・顔写真ＤＢ２２に登録された指静脈データと照合して一致・不一致を確認する。二回目以降の入館の場合は、この指静脈認証により本人確認を行うため、図４に示したような警備員等による身分証による本人確認は不要である。なお、指静脈認証で拒否された場合は、例えば、所定の回数までリトライを許可し、所定の回数を経ても認証されなかった場合には、初回の入館であると取り扱って図４に示した処理を再度行うものとしてもよい。
【００６４】
その後の処理（Ｓ２４〜Ｓ２６）は、図４におけるステップＳ１４〜Ｓ１６と同様であるため、説明は省略する。このように、来訪者の全員が指静脈認証により本人確認を行うものとすることで、入館カード４２の貸し借りを許容しない仕組みとし、セキュリティを向上させる。また、顔写真との照合による人手での来訪者の本人確認のために要していた作業負荷を大幅に低減することができる。
【００６５】
図６は、本実施の形態の入退館管理サーバ１０における来訪者の持込物の検品準備処理の流れの例について概要を示したフローチャートである。まず、来訪者は、検品準備場所に設置されたバーコード発行端末７２の画面を操作し、持込物の持込日（および持出日）を入力する（Ｓ３１）。デフォルト値は当日日付である。さらに、ＩＣカードリーダに入館カード４２（もしくは社員証）を提示して、持込物の申請情報を呼び出す（Ｓ３２）。ここでは、ＩＣカードリーダが読み取った受付番号に基づいて、入退館管理サーバ１０の入退館管理部１３が、入館情報ＤＢ２１から、ステップＳ３１で入力された持込日における、受付番号等に係る入館申請に対応する持込物の申請情報を取得して、バーコード発行端末７２に応答する。
【００６６】
バーコード発行端末７２は、取得した持込物の申請情報の内容を画面上に表示し、来訪者は、表示された内容を確認する（Ｓ３３）。例えば、来訪者は、画面上に表示された確認ボタンを押す等により、自身の申請内容を確認した旨を入力する。その後、バーコード発行端末７２は、印刷の指示を受けて、検品票、および各持込物に貼付するバーコードを印刷する（Ｓ３４）。貼付用のバーコードは、連番等によって検品票にリストされた持込物と対応付けられており、これを参照しつつ、各持込物に対応するバーコードを貼付する（Ｓ３５）。なお、上述したように、機器のシリアル番号をコード化したバーコードが持込物に付されている場合は、貼付は不要である。
【００６７】
図７は、本実施の形態の入退館管理サーバ１０における来訪者のボディスキャンおよび持込物のＸ線検査処理の流れの例について概要を示したフローチャートである。来訪者は、検品準備場所から検品場所に向かう際に、持込物をＸ線検査装置５１によって検査するとともに、自身がボディスキャナ５２を通過することで不審物保持の検査を行う。
【００６８】
来訪者は、まず、Ｘ線検査装置５１においてＩＣカードリーダに自身の入館カード４２（もしくは社員証）を提示し、来訪者の情報を設定しておく（Ｓ４１）。その後、係員等により持込物をＸ線検査装置５１に載置して、Ｘ線検査装置５１を動作させて検査を行う（Ｓ４２）。このとき、Ｘ線検査装置５１は、各持込物について検査時に撮像した画像データを保持しておく。全ての持込物の検査が完了すると、各持込物についての検査時の画像データを来訪者の情報と関連付けて統合ログＤＢ２５に履歴として格納する（Ｓ４３）。
【００６９】
ボディスキャナ５２でのボディスキャンについても上記の処理と同様であり、まず、来訪者は、ボディスキャナ５２においてＩＣカードリーダに自身の入館カード４２（もしくは社員証）提示し、来訪者の情報を設定しておく（Ｓ４１）。その後、来訪者がボディスキャナ５２を通ることでボディスキャンを行う（Ｓ４２）。このとき、検査結果の画像データ等を取得し、ボディスキャンの完了時に来訪者の情報と関連付けて統合ログＤＢ２５に履歴として格納する（Ｓ４３）。
【００７０】
図８は、本実施の形態の入退館管理サーバ１０における来訪者の持込物の検品処理の流れの例について概要を示したフローチャートである。まず、検品者（検品を行う係員等）は、検品場所において予め自身の入館カード４２（もしくは社員証）を検品端末７３のＩＣカードリーダに提示し、検品者の情報を設定しておく（Ｓ５１）。その後、来訪者は、検品端末７３のＩＣカードリーダに入館カード４２（もしくは社員証）を提示して、持込物の申請情報を呼び出す（Ｓ５２）。ここでは、ＩＣカードリーダが読み取った受付番号に基づいて、入退館管理サーバ１０の入退館管理部１３が、入館情報ＤＢ２１から、当日における当該受付番号等に係る入館申請に対応する持込物の申請情報を取得して、検品端末７３に応答する。
【００７１】
検品端末７３は、取得した持込物の申請情報の内容を画面上に表示し、検品者は、表示された内容を確認する（Ｓ５３）。例えば、検品者は、画面上に表示された確認ボタンを押す等により、申請内容を確認した旨を入力する。その後、検品者は、来訪者が持込物と合わせて持ってきた検品票に記載された申請内容と検品端末７３の画面上に表示された申請内容を確認し、検品票に付されたバーコード（検品票自体を識別するバーコード）をバーコードリーダ７４により読み取る（Ｓ５４）。
【００７２】
さらに、各持込物に付されたバーコードと、検品票に記載された当該持込物のバーコードとをそれぞれバーコードリーダ７４により読み取って照合し、一致・不一致を確認することで、持込物が検品票の内容と整合しているかを確認する（Ｓ５５）。なお、このときの状況は監視カメラ５３（もしくは個別に設置されたビデオカメラ）によって動画像として撮影しておく。
【００７３】
全ての持込物についての確認が完了すると、検品結果を入退館管理サーバ１０の入退館管理部１３を介して入館情報ＤＢ２１に記録するとともに、履歴として統合ログＤＢ２５に記録する（Ｓ５６）。また、監視カメラ５３（もしくは個別に設置されたビデオカメラ）により検品の状況を撮影した動画データを入退館管理サーバ１０に保存しておく（Ｓ５７）。なお、動画データは所定の場所に継続して保存・蓄積しておき、当該処理では対象の画像データの位置が特定できる情報のみ記録するようにしてもよい。
【００７４】
上述したように、検品票に記載された各持込物のバーコードと、持込物に貼付されたバーコードとの照合と確認処理は、検品端末７３で行なってもよいし、バーコードリーダ７４に検品票の情報を予め送信しておいて、バーコードリーダ７４上で行なってもよい。また、入退館管理サーバ１０の入退館管理部１３で行うようにしてもよい。このように、持込物の検品処理を、検品票と各持込物に貼付したバーコードによって行うことで、従来の手作業での検品処理を大幅に効率化・省力化することができる。
【００７５】
図９は、本実施の形態の入退館管理サーバ１０における来訪者の退館処理の流れの例について概要を示したフローチャートである。退館者は、まず、受付端末４０の画面を操作し、入館情報ＤＢ２１に登録された自身の入館申請の情報を呼び出す（Ｓ６１）。具体的には、例えば、受付端末４０の画面を操作し、退館する旨を該当ボタンの押下等により指示して、入館カード４２を受付端末４０のＩＣカードリーダに提示する。受付端末４０は、入館カード４２から読み取った受付番号を入退館管理サーバ１０に送信する。入退館管理サーバ１０の入退館管理部１３は、受信した受付番号に対応する入館申請の情報を入館情報ＤＢ２１から取得して受付端末４０に応答する。
【００７６】
受付端末４０は、呼び出した入館申請の情報を画面上に表示し、退館者は、表示された内容を確認する（Ｓ６２）。例えば、退館者は、画面上に表示された確認ボタンを押す等により、申請内容を確認した旨を入力する。このとき、電子ロッカー７１が未返却の場合は、電子ロッカー７１の返却処理を行う（Ｓ６３）。ここでは詳細は説明しないが、退館者が電子ロッカー７１のＩＣカードリーダに入館カード４２を提示すると、電子ロッカー７１は、入退館管理サーバ１０の入館情報ＤＢ２１、もしくは入館カード４２自体に記録されたロッカー番号を退館者に対して通知するとともに、当該ロッカー番号のロッカーを解錠して開放する。これにより、退館者は、ロッカー番号を記憶しておく必要なく荷物を取り出すことができる。その後、退館者は、受付端末４０の画面上でロッカーを返却した旨を該当ボタンの押下等により指示する。これにより、当該退館者に対するロッカーの割り当てを解除する。
【００７７】
最後に、入退館管理部１３は、カード情報ＤＢ２４に記録された当該入館カード４２の情報を無効化し、使用できないようにする（Ｓ６４）。受付端末４０の画面上での指示により、退館者に対して、受付端末４０のＩＣカードリーダに入館カード４２を提示させ、記録されたデータを初期化するようにしてもよい。無効化された入館カード４２は、例えば回収ボックスに投函したり係員に返却したり等の手段により回収する。一方で、ゲストカード４１は、そのまま持ち帰ることも廃棄することも退館者の自由とする。なお、入館申請の際に申請した来訪期間がまだ残っている場合は、これらの処理を行わずに、ゲストカード４１および入館カード４２を日をまたがって継続して保持させるようにしてもよい。
【００７８】
上記の退館処理に先立って、ＣＰＵエリアからの持出物（入館申請において事前に申請しておく）がある場合は、図８の例に示した持込物に対する検品処理と同様の検品処理を行うものとする。
【００７９】
以上に説明したように、本発明の一実施の形態である入退館管理システム１によれば、データセンター等の施設における来訪者の入館申請の受け付けから入館証の発行、持込物の検品や検査とゲートの制御等のセキュリティ処理、およびこれらの処理履歴の記録とトラッキング等、入退館処理および管理処理を統合的に行い、セキュリティを向上させつつ、入退館処理の効率化や省力化と、来訪者の利便性の向上を図ることが可能となる。
【００８０】
例えば、入館申請を受け付けた際に、受付番号とバーコードを含む情報を申請者だけでなく来訪予定者に対して直接電子メールで送付することで、来訪予定者が入館申請の内容と入館時に必要となる情報を確実に取得することが可能となる。これにより、申請者や来訪予定者の申請処理に伴う作業負荷を低減し、また連絡漏れ等のリスクを低減することが可能となる。また、エントランスのチェックインカウンターにおいて、入館処理を受付端末４０にて来訪者自身が行えるようにすることで、大幅な効率化・省力化を図ることが可能となる。
【００８１】
また、入館証を、来訪者を識別するための紙媒体等からなるゲストカード４１と、ゲート・扉５４を開放したり、各種機器や装置、設備に対して制御を行ったりするためのデータを保持するＩＣカードからなる入館カード４２とに分離する。これにより、一時的な来訪者に固有の情報のみが印刷され、かつデータセンターの機器や設備の制御に係るデータを有さないゲストカード４１について、セキュリティ上のリスクなく回収を不要とすることができる。また、入館カード４２について、発行時にはＩＣチップ内のデータの書き換えのみ行えば足り、来訪者に固有の情報を表面に印刷する必要がないことから、回収した後の再利用を低コストで容易に行うことが可能となる。
【００８２】
また、Ｘ線検査装置５１やボディスキャナ５２を用いた不法持込物の検出機能の強化によりセキュリティを向上させつつ、持込物の検品処理を、検品票と各持込物に貼付したバーコードによって行うことで、従来の手作業での検品処理を大幅に効率化・省力化することができる。また、各処理や作業の履歴を全て統合ログＤＢ２５に一元的に記録することで、監査に対応するための証跡データを集計したり、セキュリティ事故等が発生した場合に特定の来訪者や持込物をキーに行動をトラッキングしたり、統計的な情報を集計して報告情報を作成したりといった照会処理を行うことが可能となる。
【００８３】
以上、本発明者によってなされた発明を実施の形態に基づき具体的に説明したが、本発明は前記実施の形態に限定されるものではなく、その要旨を逸脱しない範囲で種々変更可能であることはいうまでもない。例えば、前記実施の形態は本発明を分かりやすく説明するために詳細に説明したものであり、必ずしも説明した全ての構成を備えるものに限定されるものではない。また、本実施の形態の構成の一部について、他の構成の追加・削除・置換をすることが可能である。
【００８４】
また、上記の各構成、機能、処理部、処理手段等は、それらの一部または全部を、例えば、集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリやハードディスク、ＳＳＤ（Solid State Drive）等の記録装置、またはＩＣカード、ＳＤカード、ＤＶＤ等の記録媒体に置くことができる。
【００８５】
また、上記の各図において、制御線や情報線は説明上必要と考えられるものを示しており、必ずしも実装上の全ての制御線や情報線を示しているとは限らない。実際にはほとんど全ての構成が相互に接続されていると考えてもよい。
【産業上の利用可能性】
【００８６】
本発明は、データセンター等のセキュリティを確保する必要がある施設において一時的な来訪者に対する入退館を管理する入退館管理システムに利用可能である。
【符号の説明】
【００８７】
１…入退館管理システム
１０…入退館管理サーバ、１１…申請処理部、１２…認証部、１３…入退館管理部、１４…ログ管理部、１５…ログ照会部、
２１…入館情報ＤＢ、２２…指静脈・顔写真ＤＢ、２３…来訪者情報ＤＢ、２４…カード情報ＤＢ、２５…統合ログＤＢ、
３０…申請者端末、３１…ネットワーク、
４０…受付端末、４１…ゲストカード、４２…入館カード、４３…緊急申請用端末、
５１…Ｘ線検査装置、５２…ボディスキャナ、５３…監視カメラ、５４…ゲート・扉、
６０…管理者端末、
７１…電子ロッカー、７２…バーコード発行端末、７３…検品端末、７４…バーコードリーダ。
【図３】
2014006763.tif 000003
【図４】
2014006763.tif 000004
【図５】
2014006763.tif 000005
【図６】
2014006763.tif 000006
【図７】
2014006763.tif 000007
【図８】
2014006763.tif 000008
【図９】
2014006763.tif 000009
【図１】
2014006763.tif 000010
【図２】
2014006763.tif 000011